(57)【要約】【課題】放射線源を移動させて撮影を行うマンモグラフィ装置において被検者を保護する保護部材を設ける場合に、装置が大型化するのを抑制することができるマンモグラフィ装置を提供する。【解決手段】マンモグラフィ装置１０は、被検者の乳房に放射線を照射する放射線源２９と、放射線源２９を軸２３を中心として回転可能に支持し、乳房への放射線の入射角度が互いに異なる複数の撮影位置に放射線源２９を移動する支持部２２と、放射線源２９から照射される放射線から被検者を保護するフェイスガード３２と、一端がフェイスガード３２に回転可能に連結され、他端が放射線源２９の回転に対して静止状態を維持する保持部１８に回転可能に連結され、一端と他端との間に屈曲部３７を有し、一端と他端とを結ぶ回転軸３５を中心として回転可能な少なくとも一対のアーム３６と、を備える。【選択図】図１
2018166957.tif 000002
【特許請求の範囲】
【請求項１】
被検者の乳房に放射線を照射する放射線源と、
前記放射線源を第１の回転軸を中心として回転可能に支持し、前記乳房への放射線の入射角度が互いに異なる複数の撮影位置に前記放射線源を移動する支持部と、
前記放射線源から照射される放射線から前記被検者を保護する保護部材と、
一端が前記保護部材に回転可能に連結され、他端が前記放射線源の回転に対して静止状態を維持する静止部に回転可能に連結され、前記一端と前記他端との間に屈曲部を有し、前記一端と前記他端とを結ぶ第２の回転軸を中心として回転可能な少なくとも一対のアームと、
を備えたマンモグラフィ装置。
【請求項２】
前記一対のアームは、前記放射線の照射野外で回転する、
請求項１に記載のマンモグラフィ装置。
【請求項３】
前記一対のアームは、前記支持部が初期状態から第１の方向に回転する場合に回転するアームと、前記初期状態から第２の方向に回転する場合に回転するアームと、を備える、
請求項１または請求項２に記載のマンモグラフィ装置。
【請求項４】
前記アームは、前記支持部が回転した方向に回転する、
請求項３に記載のマンモグラフィ装置。
【請求項５】
前記支持部の回転に応じて前記支持部により押されることにより、前記アームが回転する、
請求項１または請求項２に記載のマンモグラフィ装置。
【請求項６】
前記静止部は、前記アームが着脱可能に連結される着脱部を備える、
請求項１から請求項５のいずれか１項に記載のマンモグラフィ装置。
【請求項７】
前記支持部が回転していない場合、前記一対のアームの各々の屈曲部は、上側に向けて突出した状態にある、
請求項１から請求項６のいずれか１項に記載のマンモグラフィ装置。
【請求項８】
前記一対のアームの各々には、回転した状態から初期状態に戻す方向に力が付与されている、
請求項１から請求項７のいずれか１項に記載のマンモグラフィ装置。
【請求項９】
前記一対のアームの各々は、前記支持部が回転していない場合における状態を初期状態とし、前記初期状態では、前記一対のアームの各々が前記支持部に接している、
請求項１から請求項８のいずれか１項に記載のマンモグラフィ装置。
【請求項１０】
前記静止部は、被検者の乳房と接する撮影面を有する撮影台と、前記乳房を圧迫する圧迫板とを保持する、
請求項１から請求項９のいずれか１項に記載のマンモグラフィ装置。
【発明の詳細な説明】
【技術分野】
【０００１】
本発明は、マンモグラフィ装置に関する。
【背景技術】
【０００２】
放射線源から被検者の乳房に向けて放射線を照射させ、乳房を透過した放射線を放射線検出器により検出することにより放射線画像を撮影するマンモグラフィ装置が知られている。一般的に、マンモグラフィ装置では、放射線源から出射された放射線から被検者を保護するために、いわゆるフェイスガード等の保護部材が設けられる。
【０００３】
例えば、特許文献１には、保護範囲の拡大及び縮小を行うことができる放射線保護ユニットを備えたマンモグラフィ装置が記載されている。また例えば、特許文献２には、拡張アームによって移動が可能に支持されるフィスシールドを備えたマンモグラフィ装置が記載されている。
【先行技術文献】
【特許文献】
【０００４】
【特許文献１】特開２０１５−１９９７７号公報
【特許文献２】特表２０１２−５０１７５０号公報
【発明の概要】
【発明が解決しようとする課題】
【０００５】
しかしながら、特許文献１及び特許文献２に記載の技術では、放射線源を移動させて撮影を行う、いわゆるトモシンセシス撮影等の場合、放射線源の移動範囲に応じて保護部材が大型化したり、保護部材が移動したりするため、装置全体が大型化してしまう場合がある。
【０００６】
本開示は、上記事情を考慮して成されたもので、放射線源を移動させて撮影を行うマンモグラフィ装置において被検者を保護する保護部材を設ける場合に、装置が大型化するのを抑制することができるマンモグラフィ装置を提供することを目的とする。
【課題を解決するための手段】
【０００７】
上記目的を達成するために本開示のマンモグラフィ装置は、被検者の乳房に放射線を照射する放射線源と、放射線源を第１の回転軸を中心として回転可能に支持し、乳房への放射線の入射角度が互いに異なる複数の撮影位置に放射線源を移動する支持部と、放射線源から照射される放射線から被検者を保護する保護部材と、一端が保護部材に回転可能に連結され、他端が放射線源の回転に対して静止状態を維持する静止部に回転可能に連結され、一端と他端との間に屈曲部を有し、一端と他端とを結ぶ第２の回転軸を中心として回転可能な少なくとも一対のアームと、を備える。
【０００８】
本開示のマンモグラフィ装置の一対のアームは、放射線の照射野外で回転してもよい。
【０００９】
本開示のマンモグラフィ装置の一対のアームは、支持部が初期状態から第１の方向に回転する場合に回転するアームと、初期状態から第２の方向に回転する場合に回転するアームと、を備えてもよい。
【００１０】
本開示のマンモグラフィ装置のアームは、支持部が回転した方向に回転してもよい。
【００１１】
本開示のマンモグラフィ装置は、支持部の回転に応じて支持部により押されることにより、アームが回転してもよい。
【００１２】
本開示のマンモグラフィ装置の静止部は、アームが着脱可能に連結される着脱部を備えていてもよい。
【００１３】
本開示のマンモグラフィ装置は、支持部が回転していない場合、一対のアームの各々の屈曲部は、上側に向けて突出した状態にあってもよい。
【００１４】
本開示のマンモグラフィ装置の一対のアームの各々には、回転した状態から初期状態に戻す方向に力が付与されていてもよい。
【００１５】
本開示のマンモグラフィ装置の一対のアームの各々は、支持部が回転していない場合における状態を初期状態とし、初期状態では、一対のアームの各々が支持部に接していてもよい。
【００１６】
本開示のマンモグラフィ装置の静止部は、被検者の乳房と接する撮影面を有する撮影台と、乳房を圧迫する圧迫板とを保持してもよい。
【発明の効果】
【００１７】
本開示によれば、放射線源を移動させて撮影を行うマンモグラフィ装置において被検者を保護する保護部材を設ける場合に、装置が大型化するのを抑制することができる。
【図面の簡単な説明】
【００１８】
【図１】実施形態のマンモグラフィ装置の全体構成の一例を被検者の胸壁側から見た斜視図である。
【図２】実施形態のマンモグラフィ装置における保護部の構成の一例を示す前方側から見た斜視図である。
【図３】実施形態のマンモグラフィ装置における保護部のアームの回転を説明するため前方側から見た斜視図である。
【図４】実施形態のマンモグラフィ装置における保護部の構成の一例を示す後方側から見た斜視図である。
【図５】実施形態のマンモグラフィ装置の保持部への保護部の取り付けを説明するための要部の斜視図である。
【図６】実施形態のマンモグラフィ装置の保持部への保護部の取り付けを説明するための要部の斜視図である。
【図７】実施形態のマンモグラフィ装置の通常撮影の場合における要部の構成の一例を被検者側から見た正面図である。
【図８】実施形態のマンモグラフィ装置のトモシンセシス撮影の場合における要部の構成の一例を被検者側から見た正面図である。
【図９】実施形態のマンモグラフィ装置のトモシンセシス撮影の場合における要部の構成の一例の斜視図である。
【図１０】実施形態のマンモグラフィ装置における保護部の構成の他の例を示す前方側から見た斜視図である。
【発明を実施するための形態】
【００１９】
以下、図面を参照して本発明の実施形態を詳細に説明する。なお、本実施形態は本発明を限定するものではない。
【００２０】
まず、図１を参照して本実施形態のマンモグラフィ装置の全体の構成の一例について説明する。
【００２１】
本実施形態のマンモグラフィ装置１０は、被検者の左右の乳房に個別に放射線（例えば、Ｘ線）を照射して左右の乳房の放射線画像を個別に撮影する装置である。なお、マンモグラフィ装置１０は、被検者が起立している状態（立位状態）のみならず、被検者が椅子（車椅子を含む）等に座った状態（座位状態）において、被検者の乳房を撮影する装置であってもよく、少なくとも被検者の乳房が左右別個に撮影可能な装置であればよい。
【００２２】
また、本実施形態のマンモグラフィ装置１０は、いわゆるトモシンセシス撮影（詳細後述）を行う機能を有している。なお、本実施形態では、トモシンセシス撮影ではない撮影を「通常撮影」という。
【００２３】
また、以下では、放射線画像の撮影においてマンモグラフィ装置１０に被検者が対面した場合の被検者に近い側（胸壁側）をマンモグラフィ装置１０の装置前方側とし、マンモグラフィ装置１０に被検者が対面した場合の被検者から離れた側をマンモグラフィ装置１０の装置後方側として説明する。また、マンモグラフィ装置１０に被検者が対面した場合の被検者の左右方向をマンモグラフィ装置１０の装置左右方向として説明する。さらに、マンモグラフィ装置１０に被検者が対面した場合の被検者の頭の方向を上側かつ足の方向を下側とした上下方向として説明する。
【００２４】
マンモグラフィ装置１０は、図１に示すように、装置前方側に設けられた側面視略Ｃ字状の撮影部１２と、撮影部１２を装置後方側から支える基台部１４と、を備える。
【００２５】
撮影部１２は、立位状態にある被検者の乳房と接する平面状の撮影面２４を有する撮影台１６と、乳房を撮影台１６の撮影面２４との間に挟んで圧迫するための圧迫板２０と、撮影台１６及び圧迫板２０を支持する保持部１８と、を備える。なお、圧迫板２０には、放射線を透過する部材が用いられる。
【００２６】
また、撮影部１２は、乳房に対して放射線を照射する管球（本実施形態では一例としてタングステン）を備えた放射線源２９が内部に設けられた放射線照射部２８と、保持部１８とは分離され、放射線源２９を支持する支持部２２と、を備えている。
【００２７】
また、撮影部１２には軸２３（図８参照）が設けられており、軸２３を回転軸として撮影部１２が基台部１４に対して軸周りに（被検者の左右方向に）回転することが可能である。軸２３は、支持部２２に対して固定されており、軸２３と支持部２２とが一体となって回転する。本実施形態の軸２３が、本開示の第１の回転軸の一例である。
【００２８】
撮影部１２に設けられた軸２３及び保持部１８にそれぞれギヤが設けられ、このギヤ同士の噛合状態及び非噛合状態を切替えることにより、保持部１８と軸２３とが連結されて一体に回転する状態と、軸２３が保持部１８と分離されて空転する状態とに切り替えることができる。なお、軸２３の動力の伝達及び非伝達の切り替えは、上記ギヤに限らず、種々の機械要素を用いることができる。
【００２９】
保持部１８は、撮影面２４が放射線源２９から所定間隔離離れた位置に撮影台１６を保持する。また、保持部１８は、支持アーム２６を介して圧迫板２０も保持しており、保持部１８が支持アーム２６をスライド移動することにより圧迫板２０が移動し、圧迫板２０と撮影面２４との間隔が変化する。本実施形態の保持部１８が、本開示の静止部の一例である。
【００３０】
被検者の乳房が接する撮影面２４は、放射線透過性や強度の観点から、例えば、カーボンで形成されている。撮影台１６の内部には、乳房及び撮影面２４を通過した放射線を検出する放射線検出器１１が配置されている。放射線検出器１１が検出した放射線に基づいて放射線画像が生成される。本実施形態の放射線検出器１１の種類は、特に限定されず、例えば、放射線を光に変換し、変換した光を電荷に変換する間接変換方式の放射線検出器であってもよいし、放射線を直接電荷に変換する直接変換方式の放射線検出器であってもよい。本実施形態では、マンモグラフィ装置１０の放射線検出器１１から出力された放射線画像を表す画像データは、マンモグラフィ装置１０を制御する外部のコンソール（図示省略）に送信される。
【００３１】
本実施形態のマンモグラフィ装置１０では、被検者を放射線から保護するための保護部３０が保持部１８に着脱可能に設けられている。図２等に示すように、本実施形態の保護部３０は、フェイスガード３２、一対の取付部３４、屈曲部３７を有する一対のアーム３６（３６Ｒ、３６Ｌ）、及び連結部３８を備える。なお、被検者を放射線から保護するとは、被験者（特に被験者の頭部）の線源側への移動を抑制することで、放射線が被験者に直接照射されるのを防ぐ事を意味する。
【００３２】
フェイスガード３２は、被検者を保護する保護部材としての機能を有する。放射線画像の撮影を行う場合、より具体的には、放射線源２９から放射線を被検者の乳房に対して照射する場合、フェイスガード３２には被検者の顔が押し当てられる。フェイスガード３２は、例えば、樹脂や、圧迫板２０と同様の材質等で形成される。
【００３３】
本実施形態のフェイスガード３２は、一例として被検者の左右（装置左右方向）が突出したカーブを描いた円形と矩形とを組み合わせたいわゆる長円形形状を有している。以下では、保持部１８に保護部３０を取り付けた状態における装置左右方向に対応するフェイスガード３２における方向をフェイスガード３２の左右方向として説明する。
【００３４】
フェイスガード３２の被検者の顔が押し当てられる面と逆側の面の左にはアーム３６Ｌの一端が、右にはアーム３６Ｒの一端が各々回転可能に取り付けられている。本実施形態では、アーム３６Ｌ及びアーム３６Ｒの個々を区別せずに総称する場合は、個々を区別するための符号（Ｌ、Ｒ）の記載を省略して「アーム３６」という。
【００３５】
アーム３６の各々の他端は、連結部３８に回転可能に取り付けられている。アーム３６は、アーム３６の一端と他端とを結ぶ回転軸３５（図３及び図４参照）を中心として回転可能とされている。アーム３６の回転軸３５（図３及び図４参照）は、支持部２２の回転軸である軸２３と略平行である。本実施形態の回転軸３５が、本開示の第２の回転軸の一例である。
【００３６】
アーム３６は、例えば、支持部２２が回転していない通常の状態では、図２等に示すように、屈曲部３７が上側に向けて突出した状態に配置されている。以下、この状態をアーム３６の「初期状態」という。アーム３６は、初期状態から、支持部２２の回転に応じて支持部２２回転した方向に、アーム３６の回転軸３５の軸周りに回転する（図３及び図４の矢印参照）。
【００３７】
アーム３６及び連結部３８は例えば、アルミ等により形成される。なお、アーム３６の支持部２２に接触する部位（詳細後述）は、アルミの表面を弾性部材により覆ってもよいし、または、アルミに替えて弾性部材を用いて形成されてもよい。
【００３８】
また、アーム３６にはバネ等（図示省略）によって、回転した状態から初期状態に戻す方向に力（いわゆる、付勢力）が付与されている。
【００３９】
一方、一対の取付部３４は、連結部３８の左右両端の各々に設けられており、フェイスガード３２を保持部１８に取り付ける機能を有する。取付部３４は、挿入部３４Ｂ及び支持部３４Ｆを含んでいる。取付部３４の挿入部３４Ｂは例えば、ステンレス等により形成される。また、取付部３４の支持部３４Ｆは例えば、鉄パイプ等により形成される。
【００４０】
本実施形態のマンモグラフィ装置１０では、図５に示すように保持部１８の側面の各々に、保護部３０を着脱可能に取り付けるための着脱部４０が設けられている。着脱部４０に設けられている筒部４１の各々に保護部３０の取付部３４の挿入部３４Ｂを図６に示すように挿入する。筒部４１に挿入された挿入部３４Ｂは、筒部４１に設けられたネジ等（図示省略）の固定部材により、着脱部４０から抜けないように固定される。
【００４１】
次に、本実施形態のマンモグラフィ装置１０の作用について、図面を参照して説明する。被検者の乳房の撮影を行う場合、医師や放射線技師等のユーザは、まず、マンモグラフィ装置１０の撮影台１６の撮影面２４上に被検者の乳房をポジショニングし、圧迫板２０により、乳房を撮影台１６と圧迫板２０との間で圧迫することにより固定する。また、フェイスガード３２に被検者の顔（頭部）を接触させる等して、被検者を固定する。
【００４２】
本実施形態のマンモグラフィ装置１０は、通常撮影を行う場合、放射線の入射角度が０度の位置に、支持部２２により放射線源２９を配置して、放射線源２９から放射線を照射して被検者の乳房の撮影を行う。図７は、被検者の頭尾（上下）方向に放射線を照射するＣＣ（Cranio & Caudal）撮影における、入射角度が０度の場合（通常撮影）におけるマンモグラフィ装置１０の要部の構成の一例を被検者側から見た正面図である。なお、以下では、ＣＣ撮影における通常撮影について説明する。
【００４３】
ここで、「入射角度」とは、放射線検出器１１の検出面１１Ａの法線ＣＬと放射線軸ＲＣとがなす角度をいう。従って、入射角度が０度の場合、法線ＣＬと放射線軸ＲＣとが同一となる。また、ここでは、放射線検出器１１の検出面１１Ａは、撮影面２４に略平行な面とする。
【００４４】
図７に示すように、通常撮影では、支持部２２が回転しない状態で放射線源２９から放射線を照射する。そのため、通常撮影の場合、保護部３０のアーム３６は初期状態のままとなる。すなわち、通常撮影では支持部２２が回転しないため、保護部３０のアーム３６は回転しない。なお、本実施形態では、初期状態ではアーム３６の少なくとも一部が、支持部２２に接触している。
【００４５】
一方、本実施形態のマンモグラフィ装置１０は、図８に示すように、放射線の入射角度を所定範囲内で異ならせて放射線源２９から放射線を照射し、異なる入射角度毎の撮影（いわゆるトモシンセシス撮影）を行うことができる。本実施形態では、１回のトモシンセシス撮影において入射角度を異ならせる所定範囲を「入射角度範囲」という。
【００４６】
本実施形態のマンモグラフィ装置１０では、図８に示すように、放射線の入射角度が、角度αから所定角度θずつ変化させるために放射線源２９の位置を移動させて、放射線源２９を複数箇所の撮影位置の各々に位置させる毎に撮影が行われる。放射線の入射角度範囲は、例えば、法線ＣＬに対して、±７．５度、±１２．５度、及び±２０度の範囲等が挙げられる。
【００４７】
本実施形態のマンモグラフィ装置１０では、トモシンセシス撮影の場合、放射線源２９を連続的に移動させながら各撮影位置での撮影を行う。放射線源２９を連続的に移動させる場合の撮影方法としては、例えば、放射線源２９を停止することなく連続的に移動させながら、放射線源２９が各撮影位置に達した場合に、放射線源２９が乳房に対して放射線を出射し、この出射のタイミングに同期して放射線検出器１１により撮影すればよい。
【００４８】
本実施形態のマンモグラフィ装置１０では、図８及び図９に示すように、トモシンセシス撮影を行う場合、被検者の左側から右側へ向けて放射線源２９が移動する。そのため、マンモグラフィ装置１０は、まず支持部２２を回転させて放射線源２９を初期状態の位置（図７参照）から撮影開始位置まで移動させる。なお、本実施形態のマンモグラフィ装置１０では、支持部２２（放射線源２９）の初期状態の位置を、放射線の入射角度が０度の位置、すなわち、通常撮影における位置と同様としている。
【００４９】
保護部３０のアーム３６は、支持部２２の回転に伴い、支持部２２の放射線照射部２８に押されて回転する。
【００５０】
そのため本実施形態のマンモグラフィ装置１０では、支持部２２が初期状態から被検者の左側向かう方向へ回転する場合にはアーム３６Ｌが回転し、支持部２２が初期状態から被検者の左側向かう方向へ回転する場合にはアーム３６Ｒが回転する。なお、本実施形態における支持部２２の回転方向について被検者の左側向かう方向が本開示の第１の方向の一例に対応し、被検者の右側向かう方向が本開示の第２の方向の一例に対応する。
【００５１】
図８及び図９に示した状態では、アーム３６Ｌは、支持部２２によって初期状態から回転した状態を示している。一方、図８及び図９に示した状態では、アーム３６Ｒは、支持部２２に押されることがないため、回転しておらず、初期状態のままである。
【００５２】
この場合本実施形態のマンモグラフィ装置１０では、図８及び図９に示すようにアーム３６Ｌは、支持部２２の側面によって押さえられており、放射線源２９から照射された放射線の照射野１００にアーム３６が入り込むことがない。
【００５３】
放射線源２９を移動させるために支持部２２が回転を開始すると、上述したようにアーム３６Ｌには初期状態に戻る方向に力が付与されているため、アーム３６Ｌも支持部２２の回転に応じて、初期状態に戻る方向に回転する。
【００５４】
放射線の入射角度が０度の状態（図７参照）まで支持部２２が回転すると、アーム３６Ｌは初期状態に戻り、回転を停止する。さらに支持部２２が回転すると、アーム３６Ｒがアーム３６Ｌに替わって支持部２２の回転に伴い、支持部２２の放射線照射部２８に押されて回転を開始する。
【００５５】
このようにアーム３６が回転しても本実施形態のマンモグラフィ装置１０では、アーム３６の回転軸３５が支持部２２の回転軸である軸２３に沿って揃えられているため、フェイスガード３２は動かない。
【００５６】
以上説明したように、本実施形態のマンモグラフィ装置１０は、被検者の乳房に放射線を照射する放射線源２９と、放射線源２９を軸２３を中心として回転可能に支持し、乳房への放射線の入射角度が互いに異なる複数の撮影位置に放射線源２９を移動する支持部２２と、放射線源２９から照射される放射線から被検者を保護するフェイスガード３２と、一端がフェイスガード３２に回転可能に連結され、他端が放射線源２９の回転に対して静止状態を維持する保持部１８に回転可能に連結され、一端と他端との間に屈曲部３７を有し、一端と他端とを結ぶ回転軸３５を中心として回転可能な少なくとも一対のアーム３６と、を備える。
【００５７】
例えば、本実施形態のマンモグラフィ装置１０と異なり、支持部２２の回転とともにフェイスガード３２が動く場合、支持部２２の回転する範囲（入射角度範囲）に渡って、被検者を保護する大きなフェイスガードが必要とされる場合がある。または、フェイスガード３２を支持部２２の回転に応じて動かす機構が必要となる。従って、このような場合では、マンモグラフィ装置１０が大型化する傾向がある。
【００５８】
これに対して  本実施形態のマンモグラフィ装置１０では、保護部３０のアーム３６が回転軸３５により回転可能とされているため、支持部２２が回転してもフェイスガード３２は回転しない。従って、本実施形態のマンモグラフィ装置１０では、放射線源２９を移動させて撮影を行うトモシンセシス撮影において被検者を保護するフェイスガード３２を設ける場合に、マンモグラフィ装置１０が大型化するのを抑制することができる。
【００５９】
また、本実施形態のマンモグラフィ装置１０と異なり、フェイスガード３２が動く場合、被検者が顔（頭部）をフェイスガード３２に接触させた状態のままでトモシンセシス撮影を行うことが困難となる。
【００６０】
これに対して本実施形態のマンモグラフィ装置１０では、フェイスガード３２が動かないため、被検者が顔（頭部）をフェイスガード３２に接触させた状態のままでトモシンセシス撮影を行うことができる。従って、本実施形態のマンモグラフィ装置１０によれば、トモシンセシス撮影においても被検者を安定的に固定することができ、被検者の負担も軽くすることができる。
【００６１】
また、フェイスガード３２が支持部２２の回転とともに動かない場合であっても、例えば、本実施形態のマンモグラフィ装置１０と異なり保護部３０のアーム３６が回転しない場合等では、アーム３６を放射線の照射野１００内に入り込ませないためには、アーム３６が大きくなってしまい、マンモグラフィ装置１０が大型化する。また、この場合、アーム３６が邪魔になり、ユーザによる被検者のポジショニングが行い難くなる。
【００６２】
これに対して本実施形態のマンモグラフィ装置１０によれば、支持部２２の回転に応じてアーム３６が照射野１００外で回転するため、放射線画像の撮影中に照射野１００内にアーム３６が入り込むことがない。従って、本実施形態のマンモグラフィ装置１０では、放射線源２９を移動させて撮影を行うトモシンセシス撮影において被検者を保護するフェイスガード３２を設ける場合に、マンモグラフィ装置１０が大型化するのを抑制することができる。また、本実施形態のマンモグラフィ装置１０によれば、アーム３６が邪魔になることを抑制するため、ユーザによる被検者のポジショニングが行い易くなる。
【００６３】
なお、本実施形態では、アーム３６が支持部２２の回転に伴い、支持部２２の放射線照射部２８に押されて回転する形態について説明したが、アーム３６が回転する方法はこの形態に限定されない。例えば、トモシンセシス撮影の開始前にユーザがアーム３６を初期状態から予め回転させておき、撮影終了後にユーザがアーム３６を初期状態に戻してもよい。また例えば、支持部２２の回転を制御する制御部（図示省略）が、支持部２２の回転やトモシンセシス撮影を行うことを表す情報に基づいて、アーム３６を回転させる制御を行ってもよい。
【００６４】
また、本実施形態では、保護部３０がアーム３６Ｌ及びアーム３６Ｒという一対のアーム３６を備える形態について説明したが、この形態に限定されず保護部３０が複数対のアーム３６を備えていてもよい。例えば、図１０に示すように、保護部３０は、アーム３６＿１及びアーム３６＿２の２対のアーム３６を備えていてもよい。図１０に示した保護部３０では、アーム３６Ｌ＿１及びアーム３６Ｒ＿１を含むアーム３６＿１がフェイスガード３２に回転可能に連結されるとともに、取付部３４＿１により保持部１８に取り付けられる。また、アーム３６＿１の下側にアーム３６Ｌ＿２及びアーム３６Ｒ＿２を含むアーム３６＿２が設けられており、フェイスガード３２に回転可能に連結されるとともに、取付部３４＿２により保持部１８に取り付けられる。フェイスガード３２が大きい場合、図１０に示すように複数対のアーム３６を備えることにより、フェイスガード３２に接触する被検者をより安定的に固定することができる。
【００６５】
また、本実施形態では、保護部３０の回転軸３５が支持部２２の回転軸である軸２３に沿っている（略平行である）形態について説明したが、軸２３が回転軸３５に対して傾いた形態であってもよい。例えば、支持部２２が被検者の前後（装置の前後）に傾いて軸２３が撮影面２４に対して傾く一方、回転軸３５が撮影面２４に対して略平行とされた形態であってもよい。この形態であっても、アーム３６が回転することにより、支持部２２が回転してもフェイスガード３２は回転しない。
【００６６】
また、本実施形態では、保護部３０の回転軸３５が、フェイスガード３２の被検者の顔（頭部）が接触する面及び保持部１８に略垂直とされた形態について説明したが、回転軸３５がフェイスガード３２の被検者の顔が接触する面及び保持部１８に対して傾いていてもよい。例えば、フェイスガード３２は、本実施形態と同様に、被検者の顔が接触する面  が撮影面２４に対して略垂直とされた状態のままとし、回転軸３５を被検者の前後（装置の前後）に傾いた状態として取付部３４が保持部１８に取り付けられる形態としてもよい。この形態であっても、アーム３６が回転することにより、支持部２２が回転してもフェイスガード３２は回転しない。
【００６７】
また、上記各実施形態における放射線は、特に限定されるものではなく、Ｘ線やγ線等を適用することができる。
【００６８】
その他、上記各実施形態で説明したマンモグラフィ装置１０及び保護部３０等の構成及び動作等は一例であり、本発明の主旨を逸脱しない範囲内において状況に応じて変更可能であることはいうまでもない。
【符号の説明】
【００６９】
１０  マンモグラフィ装置
１１  放射線検出器、１１Ａ  検出面
１２  撮影部
１４  基台部
１６  撮影台
１８  保持部
２０  圧迫板
２２  支持部
２３  軸
２４  撮影面
２６  支持アーム
２８  放射線照射部
２９  放射線源
３０  保護部
３２  フェイスガード
３４、３４＿１、３４＿２  取付部、３４Ｂ  挿入部、３４Ｆ  支持部
３５  回転軸
３６、３６＿１、３６＿２、３６Ｌ、３６Ｒ、３６Ｌ＿１，３６Ｌ＿２、３６Ｒ＿１、３６Ｒ＿２  アーム
３７  屈曲部
３８  連結部
４０  着脱部
４１  筒部
１００  照射野
ＣＬ  法線
ＲＣ  放射線軸
α  角度
【図１】
2018166957.tif 000003
【図２】
2018166957.tif 000004
【図３】
2018166957.tif 000005
【図４】
2018166957.tif 000006
【図５】
2018166957.tif 000007
【図６】
2018166957.tif 000008
【図７】
2018166957.tif 000009
【図８】
2018166957.tif 000010
【図９】
2018166957.tif 000011
【図１０】
2018166957.tif 000012